(57)【要約】蒸発光散乱検出器などのデバイスに使用されることに適した、構成部品が開示される。蒸発光散乱検出器などのデバイスに使用されることに適した、構成部品の使用方法および製造方法も開示される。【選択図】図１
2012511722.tif 000002
【特許請求の範囲】
【請求項１】
クロマトグラフィー用途で使用することに適した検出器であって、
（ａ）検出器収容部と、
（ｂ）前記検出器収容部の中に位置する噴霧器と、
（ｃ）前記検出器収容部の中に位置する空気ポンプであって、圧縮空気を前記噴霧器に供給するように動作可能に構成される前記空気ポンプと、を含む検出器。
【請求項２】
請求項１記載の検出器において、
前記空気ポンプは大気中の空気を圧縮空気に変換する検出器。
【請求項３】
請求項１記載の検出器において、
（ａ）ドリフトチューブ組立部をさらに備え、前記ドリフトチューブ組立部は、
（ｂ）第１の端部、第２の端部、前記ドリフトチューブの内部に面する内側ドリフトチューブ表面、および外側表面を備えるドリフトチューブと、
（ｃ）少なくとも１つの取り外し可能な管状ライナであって、それぞれの取り外し可能な管状ライナは第１のライナ端部、第２のライナ端部、前記取り外し可能な管状ライナの内部に面する内側ライナ表面、および外側ライナ表面を備え、前記取り外し可能な管状ライナのそれぞれは、前記ドリフトチューブの中に位置することができ、前記外側ライナ表面は、前記内側ドリフトチューブ表面に沿って延在する少なくとも１つの取り外し可能な管状ライナと、を備える検出器。
【請求項４】
請求項３記載の検出器において、
前記少なくとも１つの取り外し可能な管状ライナは、一組の取り外し可能な管状ライナを備え、前記一組の取り外し可能な管状ライナは、２つ以上の取り外し可能な管状ライナを備え、前記一組の取り外し可能な管状ライナ中のそれぞれの取り外し可能な管状ライナは（ｉ）前記ドリフトチューブの中に位置することができるので、前記外側ライナ表面は、前記内側ドリフトチューブ表面に沿って延在し、（ｉｉ）前記一組中の他の取り外し可能な管状ライナとは内側断面積が異なる検出器。
【請求項５】
請求項３記載の検出器において、
前記少なくとも１つの取り外し可能な管状ライナは、前記ドリフトチューブの中に位置するので、実質的にすべての前記内側ドリフトチューブ表面を覆う検出器。
【請求項６】
請求項３記載の検出器において、
前記取り外し可能な管状ライナのライナ長は、実質的に前記ドリフトチューブの長さ以上である検出器。
【請求項７】
請求項３記載の検出器において、
前記検出器の最大動作温度は少なくとも約１５０℃である検出器。
【請求項８】
請求項１記載の検出器において、
（ａ）前記検出器収容部の中に位置する能動凝縮ドレイントラップをさらに含む検出器。
【請求項９】
請求項３記載の検出器において、
（ａ）前記検出器収容部の中に位置する能動凝縮ドレイントラップをさらに含む検出器。
【請求項１０】
請求項４記載の検出器において、
（ａ）前記検出器収容部の中に位置する能動凝縮ドレイントラップをさらに含む検出器。
【請求項１１】
請求項１記載の検出器において、
前記検出器は、蒸発光散乱検出器を備える検出器。
【請求項１２】
フラッシュクロマトグラフィーシステムであって、
請求項１記載の検出器を含むフラッシュクロマトグラフィーシステム。
【請求項１３】
ドリフトチューブ組立部であって、
（ａ）第１の端部、第２の端部、前記ドリフトチューブの内部に面する内側ドリフトチューブ表面、および外側表面を備えるドリフトチューブと、
（ｂ）少なくとも１つの取り外し可能な管状ライナであって、それぞれの取り外し可能な管状ライナは、第１のライナ端部、第２のライナ端部、前記取り外し可能な管状ライナの内部に面する内側ライナ表面、および外側ライナ表面を備え、前記取り外し可能な管状ライナのそれぞれは、前記ドリフトチューブの中に位置できるので、前記外側ライナ表面は、前記内側ドリフトチューブ表面に沿って延在する少なくとも１つの取り外し可能な管状ライナと、を備えるドリフトチューブ組立部。
【請求項１４】
請求項１３記載のドリフトチューブ組立部において、
前記少なくとも１つの取り外し可能な管状ライナは、一組の取り外し可能な管状ライナを備え、前記一組の取り外し可能な管状ライナは２つ以上の取り外し可能な管状ライナを備え、前記一組の取り外し可能な管状ライナ中のそれぞれの取り外し可能な管状ライナは（ｉ）前記ドリフトチューブの中に位置できるので、前記外側ライナ表面は、前記内側ドリフトチューブ表面に沿って延在し、（ｉｉ）管状ライナ厚さは前記一組中の他の取り外し可能な管状ライナとは異なるドリフトチューブ組立部。
【請求項１５】
請求項１３記載のドリフトチューブ組立部において、
前記少なくとも１つの取り外し可能な管状ライナの、それぞれの取り外し可能な管状ライナのライナ長は、実質的に前記ドリフトチューブの長さ以上であるドリフトチューブ組立部。
【請求項１６】
請求項１３記載のドリフトチューブ組立部において、
前記少なくとも１つの取り外し可能な管状ライナのそれぞれの取り外し可能な管状ライナは、熱導電性材料を含み、前記ドリフトチューブは、少なくとも１つの金属材料を含むドリフトチューブ組立部。
【請求項１７】
請求項１３記載のドリフトチューブ組立部であって、
噴霧器、光源、光検出器、能動凝縮ドレイントラップと組み合わされ、またはそれらのいずれかの組み合わせであるドリフトチューブ組立部。
【請求項１８】
請求項１３記載のドリフトチューブ組立部において、
前記第１の端部に取り付けられる噴霧器、および（ｉ）光源、および（ｉｉ）前記第２の端部に隣接して位置する光検出器と組み合わされるドリフトチューブ組立部。
【請求項１９】
請求項１８記載のドリフトチューブ組立部において、
（ｉ）前記ドリフトチューブ、（ｉｉ）前記光源、および（ｉｉｉ）前記光検出器から下流に位置する（ａ）能動凝縮ドレイントラップをさらに備えるドリフトチューブ組立部。
【請求項２０】
蒸発光散乱検出器であって、
請求項１３記載のドリフトチューブ組立部を備える蒸発光散乱検出器。
【請求項２１】
フラッシュクロマトグラフィーシステムであって、
請求項２０記載の蒸発光散乱検出器を備えるフラッシュクロマトグラフィーシステム。
【請求項２２】
クロマトグラフィー用途で使用することに適した検出器であって、
（ａ）検出器収容部と、
（ｂ）前記検出器収容部の中に位置する能動凝縮ドレイントラップであって、凝縮ポンプまたは前記検出器収容部の中に位置する蒸発器を介して能動的に排水するように動作可能に構成される前記能動凝縮ドレイントラップと、を備える検出器。
【請求項２３】
請求項２２記載の検出器において、
前記能動凝縮ドレイントラップは、前記検出器収容部の中に位置する凝縮ポンプを備える検出器。
【請求項２４】
請求項２２記載の検出器において、
前記能動凝縮ドレイントラップは、前記能動凝縮ドレイントラップの中に位置する蒸発促進材料を備える検出器。
【請求項２５】
請求項２４記載の検出器において、
前記能動凝縮ドレイントラップを介して、ガス流量を増やすように動作可能に構成される、ガス流量エンハンサーをさらに備える検出器。
【請求項２６】
請求項２２記載の検出器において、
前記検出器は、蒸発光散乱検出器を備える検出器。
【請求項２７】
フラッシュクロマトグラフィーシステムであって、
請求項２２記載の検出器を備えるフラッシュクロマトグラフィーシステム。
【請求項２８】
少なくとも１つの被分析物を含む可能性がある試験サンプルを分析する方法であって、
（ａ）前記試験サンプルを請求項１から１１または請求項２２から２６のいずれか一項記載の検出器、請求項１３から１９のいずれか一項記載の前記ドリフトチューブ組立部、請求項２０記載の前記蒸発光散乱検出器、または請求項１２、２１または２８のいずれか一項記載の前記フラッシュクロマトグラフィーシステムに投入する工程を含む方法。
【発明の詳細な説明】
【技術分野】
【０００１】
[0001]本発明は、蒸発光散乱検出器（ＥＬＳＤ）などの分析用デバイスに使用されることに適した、さまざまな構成部品に関する。さらに、本発明は、蒸発光散乱検出器（ＥＬＳＤ）デバイスなどの中のさまざまな構成部品の使用方法、および製造方法に関する。
【背景技術】
【０００２】
[0002]デバイスの性能を改良するために、蒸発光散乱検出器（ＥＬＳＤ）などの分析用デバイスに使用されることに適する、さまざまな構成部品に対する技術需要が存在する。
【発明の概要】
【発明が解決しようとする課題】
【０００３】
[0003]本発明は、これに限定されるものではないが、蒸発光散乱検出器（ＥＬＳＤ）を含む分析用デバイスに使用されることに適した、構成部品の発見によって、上記で論じた困難および問題のいくつかに対処するものである。本発明の構成部品は、分析用デバイスに使用される既知の構成部品に対して、１つまたは複数の利点がある。１つまたは複数の利点には、これに限定されるものではないが、噴霧器を備える分析用デバイスの動作中に、作業領域から１つまたは複数のガス（例えば、窒素）ボンベを除去できること、分析用デバイスの噴霧器に連続的に空気を供給できること、分析用デバイスのドリフトチューブの内部表面から、積層された粒子および／または燃焼物を、効果的および効率的に除去できること、分析用デバイスのドリフトチューブの最大動作温度（例えば、約５０℃）を維持できること、分析用デバイスのドリフトチューブの流動性を効果的および効率的に調節できること、分析用デバイスのドレイントラップの中の凝縮物を効果的および効率的にトラップできること、および分析用デバイスのドレイントラップの中の凝縮物を能動的に排水することができることが挙げられる。
【課題を解決するための手段】
【０００４】
[0004]１つの例示的な実施形態では、本発明の構成部品は、検出器の検出器収容部の中に位置する空気ポンプを備え、ここで、空気ポンプは、圧縮空気を検出器の噴霧器に供給するように動作可能に構成される。空気ポンプは、一般にはガスを噴霧器に供給するために使用されるいずれかのガスボンベを、作業領域から除去することができるので、（ｉ）必要とされる空間を削減し、（ｉｉ）ガスボンベに関する運転コストを削減し、（ｉｉｉ）空のボンベ交換に関する停止時間を削減し、（ｉｖ）ガス源が不足する可能性に関するオペレータの関与を削減し、（ｖ）研究所の安全を改善することができる。
【０００５】
[0005]別の例示的な実施形態では、第１の端部と、第２の端部と、ドリフトチューブの内部に面する内側ドリフトチューブ表面と、外側表面とを備えるドリフトチューブ、および、少なくとも１つの取り外し可能な管状ライナであって、それぞれの取り外し可能な管状ライナが第１のライナ端部と、第２のライナ端部と、取り外し可能な管状ライナの内部に面する内側ライナ表面と、外側ライナ表面とを備える少なくとも１つの取り外し可能な管状ライナとを備えるドリフトチューブ組立部を、本発明の構成部品は備える。それぞれの取り外し可能な管状ライナは、ドリフトチューブの中に位置することができるので、それぞれの取り外し可能な管状ライナの外側ライナ表面は、内側ドリフトチューブ表面に沿って延在する。取り外し可能な管状ライナは、所定のドリフトチューブを迅速に清掃することができるばかりではなく、ドリフトチューブの内側断面積を迅速かつ効率的に変更することができるので、さまざまな用途で望ましいように、ドリフトチューブの中を通る液体の流量を低減または増加させることができる。
【０００６】
[0006]さらなる例示的な実施形態では、本発明の構成部品は、検出器の検出器収容部の中に位置する、能動凝縮ドレイントラップを備える。能動凝縮ドレイントラップは、凝縮ポンプ、または検出器収容部の中に位置する蒸発器を通して、能動的に排水するように動作可能に構成される。能動凝縮ドレイントラップは、操作者の最小限の介入または操作者の介入無しで、検出器から凝縮物を除去することを可能にする。
【０００７】
[0007]さらに、本発明は、１つまたは複数の本明細書に開示された構成部品を含むデバイスに関する。デバイスには、これに限定されるわけではないが、分析用デバイス、エアロゾルベースの検出器、蒸発光散乱検出器（ＥＬＳＤ）、凝縮核形成光散乱検出器（ＣＮＬＳＤ）、荷電エアロゾル検出器（ＣＡＤ）、または質量分析計（ＭＳ）が挙げられる。いくつかの実施形態では、デバイスは、フラッシュクロマトグラフィーシステムなどのクロマトグラフィーシステムに組み込まれる１つまたは複数の本明細書に開示された構成部品を備える。
【０００８】
[0008]１つの例示的な実施形態では、本発明のデバイスは、クロマトグラフィー用途で使用することに適した検出器を備え、ここで、検出器は（ｉ）検出器収容部、（ｉｉ）検出器収容部の中に位置する噴霧器、および（ｉｉｉ）検出器収容部の中に位置する空気ポンプであって、圧縮空気を噴霧器に供給するように動作可能に構成される空気ポンプを備える。さらに例示的な検出器は、本明細書に開示されたドリフトチューブ組立部および／または能動凝縮ドレイントラップを備えてもよい。さらに、結果として得られる検出器は、フラッシュクロマトグラフィーシステムなどのクロマトグラフィーシステムに組み込まれてもよい。
【０００９】
[0009]別の例示的な実施形態では、本発明のデバイスは、クロマトグラフィー用途で使用することに適した検出器を備え、ここで、検出器は、（ｉ）検出器収容部、および（ｉｉ）検出器収容部の中に位置するドリフトチューブ組立部を備え、ここで、ドリフトチューブ組立部は、第１の端部、第２の端部、前記チューブの内部に面する内側ドリフトチューブ表面、および外側表面を備えるドリフトチューブ、ならびに、少なくとも１つの取り外し可能な管状ライナであって、それぞれの取り外し可能な管状ライナは第１のライナ端部、第２のライナ端部、取り外し可能な管状ライナの内部に面する内側ライナ表面、および外側ライナ表面を備え、それぞれの取り外し可能な管状ライナは、ドリフトチューブの中に位置することができるので、取り外し可能な管状ライナの外側ライナ表面が、内側ドリフトチューブ表面に沿って延在する少なくとも１つの取り外し可能な管状ライナを備える。さらに例示的な検出器は、本明細書に開示された空気ポンプおよび／または能動凝縮ドレイントラップを備えてもよい。さらに、結果として得られる検出器は、クロマトグラフィーシステムなどのフラッシュクロマトグラフィーシステムに組み込まれてもよい。
【００１０】
[0010]さらに別の例示的な実施形態では、本発明のデバイスは、クロマトグラフィー用途で使用することに適した検出器を備え、ここで、検出器は、（ｉ）検出器収容部、および（ｉｉ）検出器収容部の中に位置する能動凝縮ドレイントラップであって、凝縮ポンプまたは検出器収容部の中に位置する蒸発器を通して能動的に排水するように動作可能に構成される能動凝縮ドレイントラップを備える。さらに、例示的な検出器は、本明細書に開示された空気ポンプおよび／またはドリフトチューブ組立部を備えてもよい。さらに、結果として得られる検出器は、フラッシュクロマトグラフィーシステムなどのクロマトグラフィーシステムに組み込まれてもよい。
【００１１】
[0011]さらに、本発明は、１つまたは複数の本発明の上述のデバイスばかりではなく、１つまたは複数の本発明の上述の構成部品の製造方法に関する。１つまたは複数の本発明の上述の構成部品は、デバイスのデバイス収容部に組み込まれてもよく、例えば、デバイスは、少なくとも１つの被分析物を含む可能性がある試験サンプルを分析する方法などの、分析試験方法の工程を実施するように動作可能に構成される。
【００１２】
[0012]１つの例示的な実施形態では、本発明のデバイスの製造方法は、クロマトグラフィー用途で使用することに適した検出器を製造する方法を含み、ここで、該方法は、（１）検出器の検出器収容部の中の空気ポンプであって、圧縮空気を検出器収容部の中に位置する噴霧器に供給するように動作可能に構成される空気ポンプと、（２）検出器収容部の中のドリフトチューブ組立部であって、（ｉ）第１の端部、第２の端部、前記ドリフトチューブの内部に面する内側ドリフトチューブ表面、および外側表面を備えるドリフトチューブと、（ｉｉ）少なくとも１つの取り外し可能な管状ライナであって、それぞれの取り外し可能な管状ライナは第１のライナ端部、第２のライナ端部、取り外し可能な管状ライナの内部に面する内側ライナ表面、および外側ライナ表面を備え、それぞれの取り外し可能な管状ライナは、ドリフトチューブの中に位置することができるので、取り外し可能な管状ライナの外側ライナ表面は、内側ドリフトチューブ表面に沿って延在する少なくとも１つの取り外し可能な管状ライナと、を備えるドリフトチューブ組立部と、（３）検出器収容部の中の能動凝縮ドレイントラップであって、凝縮ポンプまたは検出器収容部の中に位置する蒸発器を介して、能動的に排水するように動作可能に構成される能動凝縮ドレイントラップと、または（４）（１）から（３）の組み合わせのいずれかを組み込む工程を含む。
【００１３】
[0013]さらに、本発明は、１つまたは複数の本発明の上述のデバイスを使用する方法ばかりではなく、１つまたは複数の本発明の上述の構成部品を使用する方法に関する。１つまたは複数の本発明の上述の構成部品を使用する方法は、デバイスの中の１つまたは複数の上述の構成部品を使用することを含んでもよく、例えば、デバイスは、少なくとも１つの被分析物を含む可能性がある試験サンプルを分析する方法などの、分析試験方法の工程を実施するように動作可能に構成される。
【００１４】
[0014]１つの例示的な実施形態では、１つまたは複数の本発明の上述の構成部品を使用する方法は、検出器の中の蒸発光散乱検出器（ＥＬＳＤ）などの１つまたは複数の上述の構成部品を使用すること、およびフラッシュクロマトグラフィーシステムのＥＬＳＤを使用することを含む。
【００１５】
[0015]本発明のこれらの、および他の特徴および利点は、開示された実施形態の以下の詳細な説明および添付の特許請求の範囲を検討することによって、明らかになるであろう。
【図面の簡単な説明】
【００１６】
【図１】本発明の例示的なデバイスを示す[0016]。
【図２Ａ】図１に示す例示的なデバイスに使用されることに適した例示的なドリフトチューブ組立部の図を示す[0017]。
【図２Ｂ】例示的な管状ライナが、例示的なドリフトチューブの中に部分的に挿入される場合の、図２Ａの例示的なドリフトチューブ組立部の図を示す[0018]。
【図３Ａ】第１の取り外し可能な管状ライナがドリフトチューブと組み合わせて使用される場合の、図２Ｂに示す線Ａ−Ａに沿った、例示的なドリフトチューブ組立部の断面図を示す[0019]。
【図３Ｂ】第２の取り外し可能な管状ライナがドリフトチューブと組み合わせて使用される場合の、図２Ｂに示す線Ａ−Ａに沿った、例示的なドリフトチューブ組立部の断面図を示す[0020]。
【図４】噴霧器と、噴霧器と例示的なドリフトチューブ組立部との間に位置する例示的なカートリッジとを組み合わせた、例示的なドリフトチューブ組立部の図を示す[0021]。
【図５Ａ】例示的なカートリッジに取り付けられ、光学ブロックに接続されている例示的なドリフトチューブの中に部分的に挿入される、例示的な管状ライナの図を示す[0022]。
【図５Ｂ】例示的なカートリッジに取り付けられ、光学ブロックに接続されている例示的なドリフトチューブの中に完全に挿入される、例示的な管状ライナの断面図を示す[0023]。
【図６】本発明の別の例示的なデバイスを示す[0024]。
【発明を実施するための形態】
【００１７】
[0025]本発明の原理の理解を促進するために、本発明の特定の実施形態の記述が以下に続き、特定の言語が、特定の実施形態を記述することに使用される。しかしながら、当然のことながら、特定の言語の使用によって、本発明の範囲を制限することは意図されない。変更形態、さらに修正形態、および上述された本発明の原理のさらなる用途等は、当該技術分野における当業者であれば容易に想到することが考えられる。
【００１８】
[0026]本明細書および添付の特許請求の範囲で使用される場合には、単数形の「１つ」、「および」、および「前記（ｔｈｅ）」は、文脈が明らかに他の場合を示している場合を除き、複数形の指示対象を含むことに留意しなければいけない。このように、例えば、「１つの溶媒」を参照する場合には、複数の該溶媒を含み、「溶媒」を参照する場合には、１つまたは複数の溶媒、および当業者に知られているそれらの均等物、ならびにその他のものを含む。
【００１９】
[0027]「約」で修飾される場合には、例えば、本明細書の実施形態の記載に用いられた、組成物中の材料、濃度、量、プロセス温度、プロセス時間、回収量または生産量、流量、および同様の値、ならびにそれらの範囲の量の数量の変動を示し、これは、例えば、一般的な測定手順および取り扱い手順を介して、これらの手順の不測のエラーを介して、該方法を実施するために使用される材料の違いを介して、および同様の近似した事情によって発生する可能性がある。「約」という用語は、さらに特定の初期濃度または混合物を有する処方物の経時変化による異なる量、および特定の初期濃度または混合物を有する処方物の混合または処理による異なる量を包含する。「約」を意味する用語によって、修飾されるか否かにかかわらず、本明細書に添付の特許請求の範囲は、これらの量の均等物を含む。
【００２０】
[0028]本明細書において、用語「クロマトグラフィー」は、１つは静止状態（固定相）であり、もう一方（移動相）は明確な方向に移動する、２相間で分散されている、分離されるべき構成部品を分離する物理的方法を意味する。
【００２１】
[0029]本明細書において、用語「液体クロマトグラフィー」は、「移動相」に溶解している混合流体を、固定相を含むカラムに通して、混合物を分離することを意味し、それによって混合物中の他の分子から被分析物（すなわち、標的物質）を分離し、それを単離できる。
【００２２】
[0030]本明細書において、用語「移動相」は、分離および／または分析される試料、および被分析物を含む試料を、カラムの中を通して移動させる溶媒を含む流動性液体、ガス、または超臨界流体を意味する。試料中の被分析物が、固定相と相互作用して試料から分離される、クロマトグラフィーカラムまたはカートリッジ（すなわち、固定相を収容する容器）の中を移動相が通る。
【００２３】
[0031]本明細書において、用語「固定相」または「媒体」は、「移動相」に溶解している混合流体を、固定相を含むカラムに通して、移動相の試料から混合物を分離することによって、被分析物を選択的に吸着するカラムまたはカートリッジに固定されている材料を意味し、それによって混合物中の他の分子から、測定されるべき被分析物を分離し、それを単離できる。
【００２４】
[0032]本明細書において、用語「フラッシュクロマトグラフィー」は、「移動相」に溶解している混合流体を、加圧下で、固定相を含むカラムに通して混合物を分離することを意味し、それによって混合物中の他の分子から、測定されるべき被分析物（すなわち、標的物質）を分離し、それを単離できる。
【００２５】
[0033]本明細書において、用語「流体」はガス、液体、および超臨界流体を意味する。
【００２６】
[0034]本明細書において、用語「実質的に」は充分な量の範囲を意味するが、絶対値の約０％から約５０％、約０％から約４０％、約０％から約３０％、約０％から約２０％または約０％から約１０％の間を変化する量を含む。
【００２７】
[0035]本発明は、これに限定されるものではないが、蒸発光散乱検出器（ＥＬＳＤ）、凝縮核形成光散乱検出器（ＣＮＬＳＤ）、荷電エアロゾル検出器（例えば、コロナＣＡＤ）、および質量分析計を含む、分析用デバイスに使用されることに適したさまざまな構成部品に関する。本発明の１つの望ましい実施形態では、１つまたは複数の開示された構成部品は、蒸発光散乱検出器（ＥＬＳＤ）装置に組み込まれる。本明細書で使用される、適切な蒸発光散乱検出器（ＥＬＳＤ）および構成部品の記述は、例えば、両方の主題が、参照によってその全体が本明細書に組み込まれる、米国特許第６，２２９，６０５号および第６，３６２，８８０号で見いだされ得る。
【００２８】
[0036]さらに、本発明はＥＬＳＤ装置などの分析用デバイスに使用されることに適した、さまざまな構成部品を製造する方法に関する。さらに、本発明は、デバイスの１つまたは複数の機能性能を改善するために、蒸発光散乱検出器（ＥＬＳＤ）デバイスなどの分析用デバイスでの、１つまたは複数の開示された構成部品の使用方法に関する。
【００２９】
[0037]１つの例示的な実施形態では、１つまたは複数の開示された本発明の構成部品は、図１に示す例示的な検出器などのデバイスに組み込まれる。図１に示すように、例示的な検出器１００は、検出器収容部１０１および検出器収容部１０１の中に位置する次の構成部品：ドリフトチューブ組立部１０、空気ポンプ２０、噴霧器４０、光学ブロック５０、能動凝縮ドレイントラップ３０、および凝縮ポンプ３２を備える。例示的な検出器１００では、カラム流出液（溶媒および試料／被分析物を含む）は矢印Ａに沿って噴霧器４０の中に移動する。空気ポンプ２０からの圧縮空気は、矢印Ｂによって示される噴霧器４０の中に取り入れられる。噴霧された材料は、ドリフトチューブ組立部１０の中を通って移動し、溶媒は蒸発し、それによって試料が気流の中に分離され、次に混合物は光学ブロック５０に進み、そこで試料は光エネルギーに晒され、電気信号を生成する。光学ブロック５０を出た、蒸発した溶媒と試料の混合物は、凝縮し、能動凝縮ドレイントラップ３０の中で捕捉される。例示的な検出器１００では、能動凝縮ドレイントラップ３０の中で蓄積し、ドレイン開口部３５の中を通って、矢印Ｃに沿って、凝縮ポンプ３２の中を通り、矢印Ｄに沿って廃棄物処理容器またはライン（不図示）に向かう凝縮物（不図示）を、凝縮ポンプ３２は能動的に取り除く。
【００３０】
[0038]図１に示すように、さまざまな本発明の構成部品は、検出器などのデバイスを形成するために互いに組み合わされてもよい（または、検出器または他のデバイスを形成するために別々に使用されてもよい）。デバイスで使用するための、本発明のさまざまな構成部品およびさまざまな構成部品の構造の説明が以下に記載される。
【００３１】
Ｉ．構成部品
[0039]本発明は、単独で、または互いに組み合わされて使用されてもよい次の個別の構成部品に関し、既知の分析用デバイスの性能を改善することに貢献する。
【００３２】
Ａ．一体化した空気ポンプ
[0040]本発明は、図１に示す例示的な一体化した空気ポンプ２０などの、一体化した空気ポンプに関する。図１に示すように、空気ポンプ２０は、例示的な検出器１００などの検出器の、検出器収容部１０１の中に位置してもよい。空気ポンプ２０は、圧縮空気を例示的な検出器１００の噴霧器４０に供給するように動作可能に構成される。例示的な検出器１００では、空気ポンプ２０に沿って位置する、検出器収容部１０１の壁１０２に、壁１０２の中を通って位置する空気吸入口２１がある。しかしながら、空気ポンプ２０は、検出器収容部１０１の中の任意の位置に存在してもよいことが理解されるべきである。
【００３３】
[0041]空気ポンプ２０は、所望の流量の圧縮空気を、例示的な検出器１００の噴霧器４０に供給する。適切な空気ポンプの例には、ＫＮＦ  Ｎｅｕｂｅｒｇｅｒ  Ｉｎｃ．から市販されているＳｗｉｎｇ  Ｐｉｓｔｏｎ  Ｃｏｍｐｒｅｓｓｏｒ  Ｐｕｍｐが挙げられる。
【００３４】
Ｂ．ドリフトチューブ組立部
[0042]さらに、本発明は、図１に示す例示的なドリフトチューブ組立部１０などのドリフトチューブ組立部に関する。本発明のドリフトチューブ組立部は、ＥＬＳＤ装置、またはいずれかの他の分析用デバイス（例えば、荷電エアロゾル検出器（例えば、コロナＣＡＤ）装置または質量分析計）に使用されてもよい。
【００３５】
[0043]図２Ａ〜図２Ｂに示すように、例示的なドリフトチューブ組立部１０は、（１）第１の端部１１、第２の端部１２、第１の端部１１と第２の端部１２との間の距離を延長する管状構造物１３、および管状構造物１３によって囲まれた内部表面２２（さらに図３Ａ〜図３Ｂに示す）を備えるドリフトチューブ１４、ならびに（２）１つまたは複数の管状ライナ１５および１６を備える。
【００３６】
１．ドリフトチューブ
[0044]例示的なドリフトチューブ組立部１０は、１つまたは複数の同心円層を有する管状構造物１３を備える、ドリフトチューブ１４を具備する。１つまたは複数の同心円層のそれぞれによって、所望の特徴（例えば、構造的一体性、高温耐熱性、等）が、結果として得られるドリフトチューブ１４に付与される。さらに、１つまたは複数の同心円層のそれぞれには層厚があり、１つまたは複数の層材料から形性され、特定の特徴（例えば、化学的不活性等）が、結果として得られるドリフトチューブ１４に付与される。
【００３７】
[0045]さらに、管状構造物１３は、第１の端部１１および第２の端部１２に隣接した接続機構を備えてもよい。接続機構は、例示的なドリフトチューブ１４を、所定のデバイスの１つまたは複数の構成部品（例えば、噴霧器４０、カートリッジ構成部品（以下に記載されている）、および／または光学ブロック５０）に接続するために使用されてもよい。これに限定されるものではないが、適切な接続機構としては、例示的なドリフトチューブ１４が、所定のデバイスの１つまたは複数の構成部品の対応するねじ山に取り付けられるようすることができるねじ山（不図示）；例示的なドリフトチューブ１４が、１つまたは複数の孔の中を通って延在するボルトまたはねじを介して、所定のデバイスの１つまたは複数の構成部品に取り付けできる、１つまたは複数の孔を含むフランジ（不図示）；例示的なドリフトチューブ１４が、１つまたは複数の孔（例えば、図４に示す管状構造物１３の第１の端部１１の孔４５参照）の中に延在するボルトまたはねじを介して、所定のデバイスの１つまたは複数の構成部品に取り付けられることができる、第１の端部１１および／または第２の端部１２での、管状構造物１３中の１つまたは複数の孔；および、例示的なドリフトチューブ１４を対応するクランピング部材を介して、所定のデバイスの１つまたは複数の構成部品に取り付けられるように使用できるクランピング部材（不図示）が挙げられる。
【００３８】
[0046]管状構造物１３は、１つまたは複数の同心円層材料を含んでもよい。１つの例示的な実施形態では、管状構造物１３は、良好な熱伝導特性を、例示的なドリフトチューブ１４に付与する材料を含む。例えば、管状構造物１３は、銅などの金属を含んでもよく、熱が管状構造物１３の外側表面１７に加えられると、実質的に同一の熱量が、外側表面１７に沿って内部表面２２へ伝導される。１つの例示的な実施形態では、管状構造物１３は、ステンレス鋼から形性される内側層に電気メッキされる、銅層を備える。さらなる例示的な実施形態では、管状構造物１３は、ステンレス鋼から形性される内側層に適合する、あらかじめ形成された銅スリーブを備える。
【００３９】
[0047]さらに例示的な実施形態では、管状構造物１３は、さらに、例示的なドリフトチューブ１４の１つまたは複数の内側層に、絶縁特性を付与するオプションの絶縁材料（不図示）を含む。例えば、管状構造物１３は、ポリウレタンフォームなどの外側発泡断熱層を備えてもよいので、１つまたは複数の内側層を断熱する。この例示的な実施形態は、例示的なドリフトチューブ１４が、ＥＬＳＤ装置のドリフトチューブとして利用される場合には、特に有用である。
【００４０】
[0048]さらなる例示的な実施形態では、管状構造物１３は、さらに、外側表面１７の一部または実質的にすべてに塗装される、オプションの最外部の透明塗装材料（不図示）を含んでもよく、例えば、耐化学性が改善される。透明塗装材料には、これに限定されるものではないが、ポリウレタン材料を含むいずれかの透明塗装材料が挙げられる。一般には、存在する場合には、透明塗装層の平均層厚は、約０．０１ｍｍから約０．５ｍｍである。
【００４１】
[0049]一般には、管状構造物１３の全体の平均厚さは、約０．１０ｍｍ（０．００４インチ）から約５０．８ｍｍ（２インチ）である。１つの例示的な実施形態では、管状構造物１３は、銅層を備え、平均層厚は約０．７６ｍｍ（０．０３インチ）から約１．５２ｍｍ（０．６インチ）である。別の実施形態では、管状構造物１３は、銅層を備え、厚さは約２．５４ｍｍ（０．１０インチ）から約７．６２ｍｍ（０．３０インチ）（より好ましくは、約６．３５ｍｍ（０．２５インチ））である。
【００４２】
[0050]管状構造物１３は、管状壁構造１３を有する第１の端部１１での入り口通水断面、および第２の端部１２での出口通水断面と、第１の端部１１と第２の端部１２との間の管状通水断面を備える。本発明の１つの例示的な実施形態では、管状通水断面は、入り口通水断面、出口断面通水領域、または両方と実質的に等しい。さらなる本発明の例示的な実施形態では、管状通水断面は、入り口通水断面と出口通水断面の両方に実質的に等しい。
【００４３】
[0051]管状通水断面、入り口通水断面および出口通水断面のそれぞれは、所望の断面構造を備えることができる。適切な断面構造には、これに限定されるものではないが、円形、矩形、四角形、五角形、三角形、および六角形断面構造が挙げられる。１つの望ましい実施形態では、管状断面通水領域、入り口通水断面、および出口通水断面のそれぞれは円形通水断面である。
【００４４】
[0052]本発明のドリフトチューブは、管状部材の使用方法によるが、さまざまなサイズであってもよい。例えば、本発明のドリフトチューブがＥＬＳＤ装置に使用される場合には、一般にはドリフトチューブの全体の長さは約５０．８ｃｍ（２０インチ）以下であり、より一般には、約２０．３２ｃｍ（８インチ）から約４０．６４ｃｍ（１６インチ）の範囲である。１つの望ましい実施形態では、本発明のドリフトチューブは、ＥＬＳＤ装置に使用され、全体の長さは約２７．９４ｃｍ（１１インチ）である。しかしながら、開示されたドリフトチューブの全体の寸法には制限がないことが理解されるべきである。
【００４５】
[0053]上記のようなドリフトチューブ１４は、管状通水断面、入り口通水断面、および出口通水断面を備えてもよい。所定のドリフトチューブ１４の使用方法によるが、管状通水断面、入り口通水断面、および出口通水断面のそれぞれの大きさは変化してもよい。一般には、管状通水断面、入り口断面通水領域、および出口通水断面のそれぞれは、約５０６ｃｍ２（７８．５平方インチ）までそれぞれ別個に変化する。１つの望ましい実施形態では、ＥＬＳＤ装置に使用される本発明のドリフトチューブ１４の管状通水断面、入り口通水断面、および出口通水断面のそれぞれは、約３．８４ｃｍ２（０．５９平方インチ）である。しかしながら、上記のように、開示されたドリフトチューブの全体の寸法には制限がない。
【００４６】
[0054]ドリフトチューブ（およびそれと共に使用されるカートリッジ）は、所定の構成部品の最終使用方法によって変化する、内圧に耐えるための材料から構成されることができる。一般には、本発明のドリフトチューブ（およびそれと共に使用されるカートリッジ）は、約１５，０００ｐｓｉｇまでの耐圧強度を有するように構成される。いくつかの実施形態では、本発明のドリフトチューブ（およびそれと共に使用されるカートリッジ）は、約５００ｐｓｉｇから約５，０００ｐｓｉｇの範囲の耐圧強度を有するように構成される。
【００４７】
[0055]さらに、本発明のドリフトチューブは、図１および図２Ａに示されない、１つまたは複数の追加の構成部品を備えてもよい。適切な追加の構成部品には、これに限定されるものではないが、例示的なドリフトチューブ１４の長さ方向に沿って位置する、１つまたは複数の温度センサ、例示的なドリフトチューブ１４の長さ方向に沿って位置する、１つまたは複数のオプションの発熱体、および例示的なドリフトチューブ１４の長さ方向に沿って位置する、１つまたは複数の接地ねじ、が挙げられる。
【００４８】
２．管状ライナ
[0056]図２Ａに示すように、さらに、例示的なドリフトチューブ組立部１０は、例示的な取り外し可能な管状ライナ１５および１６などの、少なくとも１つの取り外し可能な管状ライナを備える。それぞれの取り外し可能な管状ライナは、第１のライナ端部１８、第２のライナ端部１９、取り外し可能な管状ライナの内部に面する内側ライナ表面２４、および外側ライナ表面２５を備える。それぞれの取り外し可能な管状ライナ（例えば、例示的な取り外し可能な管状ライナ１５および１６）は、それぞれ独立して、例示的なドリフトチューブ１４の中に位置することができ、それぞれの取り外し可能な管状ライナの外側ライナ表面２５は、内側ドリフトチューブ表面２２に沿って延在し、望ましくは実質的にすべての内側ドリフトチューブ表面２２を覆う。
【００４９】
[0057]図２Ｂは、図２Ａの例示的なドリフトチューブ組立部１０の構成部品が、互いに組み立てられた図を示す。図２Ｂに示すように、例示的な取り外し可能な管状ライナ１５は、例示的なドリフトチューブ１４の中に部分的に挿入されるので、取り外し可能な管状ライナ１５の外側ライナ表面２５は、例示的なドリフトチューブ１４の内側ドリフトチューブ表面２２に沿って延在する。
【００５０】
[0058]図３Ａは、第１の例示的な取り外し可能な管状ライナ１５が、例示的なドリフトチューブ１４の中に挿入される場合の、図２Ｂに示す例示的なドリフトチューブ組立部１０の線Ａ−Ａに沿った断面図を示す。図３Ａに示すように、例示的なドリフトチューブ１４は外径、ｄｏ、と内径、ｄｉを有する。例示的な取り外し可能な管状ライナ１５は、例示的なドリフトチューブ１４の中に位置するので、取り外し可能な管状ライナ１５の外側ライナ表面２５は、例示的なドリフトチューブ１４の内側ドリフトチューブ表面２２に沿って延在する。ライナ厚さ、Ｌｔ１、を有する例示的な取り外し可能な管状ライナ１５は、図３Ａに示す例示的なドリフトチューブ組立部１０を介して有効直径、ｄｅ１、を有し、ここでｄｅ１はｄｉ未満である。一般には、有効直径、ｄｅ１は、例示的なドリフトチューブ組立部１０の長さに沿って実質的に同一である。
【００５１】
[0059]図３Ｂは、第１の例示的な取り外し可能な管状ライナ１５を、第２の例示的な取り外し可能な管状ライナ１６で置き換えることによって、例示的なドリフトチューブ組立部１０の内側通水断面を変更できることを示す。図３Ｂに示すように、例示的なドリフトチューブ１４は外径、ｄｏ、と内径、ｄｉを有する。例示的な取り外し可能な管状ライナ１６は、例示的なドリフトチューブ１４の中に位置するので、取り外し可能な管状ライナ１６の外側ライナ表面２５は、例示的なドリフトチューブ１４の内側ドリフトチューブ表面２２に沿って延在する。ライナ厚さＬｔ２を有する例示的な取り外し可能な管状ライナ１６は、図３Ａに示す例示的なドリフトチューブ組立部１０の中を通る有効直径、ｄｅ２、を有し、ここで、ｄｅ２は、ｄ１およびｄｅ１未満である。一般には、有効直径、ｄｅ２、は例示的なドリフトチューブ組立部１０の長さに沿って実質的に同一である。
【００５２】
[0060]例示的なドリフトチューブ組立部１０は、少なくとも１つの取り外し可能な管状ライナ（例えば、例示的な取り外し可能な管状ライナ１５および１６のいずれか、または単独の例示的な取り外し可能な管状ライナ１５および１６の両方、または他の取り外し可能な管状ライナとの組み合わせ（不図示））を備える。いくつかの実施形態では、例示的なドリフトチューブ組立部１０は、一組の取り外し可能な管状ライナを備える、ここで、一組の取り外し可能な管状ライナは、２つ以上の取り外し可能な管状ライナ（例えば、単独の例示的な取り外し可能な管状ライナ１５および１６の両方、または他の取り外し可能な管状ライナとの組み合わせ（不図示））を含み、および一組の取り外し可能な管状ライナ中のそれぞれの取り外し可能な管状ライナは、（ｉ）例示的なドリフトチューブ１４の中に位置できるので、外側ライナ表面２５が、内側ドリフトチューブ表面２２に沿って延在し、（ｉｉ）内側断面積は、一組の中の他の取り外し可能な管状ライナとは異なる。
【００５３】
[0061]それぞれの取り外し可能な管状ライナ（例えば、例示的な取り外し可能な管状ライナ１５および／または１６）は、個々に、不活性材料、望ましくは熱導電性材料を含む。適切な不活性材料には、これに限定されるものではないが、金属、ガラス、セラミック等などの無機材料、炭素充填ポリエチレン（ＰＥ）、ポリプロピレン（Ｐ）、ポリエステル、ポリエーテルエーテルケトン（ＰＥＥＫ）、およびポリテトラフルオロエチレン（ＰＴＦＥ）などの熱導電性ポリマー材料（例えば、充填ポリマー）を含む有機材料が挙げられる。１つの望ましい実施形態では、取り外し可能な管状ライナは、ステレンス鋼を含む。
【００５４】
[0062]それぞれの取り外し可能な管状ライナ（例えば、例示的な取り外し可能な管状ライナ１５および／または１６）のそれぞれは、これに限定されるものではないが、所定の取り外し可能な管状ライナを形成するために使用される材料、および例示的なドリフトチューブ組立部１０、例示的なドリフトチューブ１４、および所定の取り外し可能な管状ライナの中を流れる所望の内側断面液体流量を含む多くの要因、によって変化する平均ライナ厚さ（例えば、Ｌｔ１またはＬｔ２）を有する。一般には、所定の取り外し可能な管状ライナの平均ライナ厚さは、約０．２５ミリメートル（ｍｍ）（０．０１インチ（ｉｎ））から約５０．８ｍｍ（２インチ）である。１つの例示的な実施形態では、一組の取り外し可能な管状ライナの平均ライナ厚さは、下限の平均ライナ厚さが約０．２５ｍｍ（０．０１インチ）であり、上限の平均ライナ厚さが約５０．８ｍｍ（２インチ）である範囲の組み合わせである。
【００５５】
[0063]取り外し可能な管状ライナ（例えば、例示的な取り外し可能な管状ライナ１５および／または１６）のそれぞれのライナ長さは独立しており、これに限定されるものではないが、例示的なドリフトチューブ１４の長さ、および１つまたは複数の取り外し可能な管状ライナに使用される他のドリフトチューブの長さを含む多くの要因によって変化する。一般には、それぞれの取り外し可能な管状ライナのライナ長さは、実質的に所定のドリフトチューブの長さ以上である。
【００５６】
[0064]上述のように、取り外し可能な管状ライナ（例えば、例示的な取り外し可能な管状ライナ１５または１６）の使用によって、所定のドリフトチューブ（例えば、例示的なドリフトチューブ１４）を迅速に清掃することができるばかりではなく、ドリフトチューブ（例えば、例示的なドリフトチューブ１４）の内側通水断面を、迅速かつ効率的に変化させることができるので、さまざまな用途で望まれるように、ドリフトチューブ（例えば、例示的なドリフトチューブ１４）の中を通る液体の流量を、低減または増加させることができる。さらに、取り外し可能な管状ライナ（例えば、例示的な取り外し可能な管状ライナ１５または１６）の使用によって、所定のドリフトチューブの内部表面（例えば、例示的なドリフトチューブ１４の内部表面２２）の残留物を燃焼させないで、きれいに清掃することができる。さらに、取り外し可能なライナは、使い捨てであってもよく、清掃の手間を低減する。結果として得られるドリフトチューブ組立部（例えば、例示的なドリフトチューブ組立部１０は、例示的な取り外し可能な管状ライナ１５または１６と組み合わされた例示的なドリフトチューブ１４を含む）は、検出器を形成することが可能になり、検出器の最大動作温度は少なくとも約１５０℃であり、さらに少なくとも約２００℃である。
【００５７】
３．カートリッジ
[0065]さらに、所定のドリフトチューブ組立部は、噴霧器とドリフトチューブとの間に位置する、オプションのカートリッジ組立部を備えてもよい。例示的なカートリッジ組立部と、他のドリフトチューブ組立部構成部品との組み合わせによる、その使用方法を図４〜図５Ｂに示す。開示されたカートリッジ組立部は、ＥＬＳＤ装置の構成部品として特に有用である。
【００５８】
[0066]図４に示すように、例示的なカートリッジ組立部５１は、カートリッジ５８を備えてもよい。例示的なカートリッジ組立部５１は、次の追加のデバイス構成部品：例示的なカートリッジ５８を例示的なドリフトチューブ１４の管状構造物１３に取り付けるために適切な噴霧器４０、Ｏリング５６、ねじ４３と組み合わせて示される。
【００５９】
[0067]例示的なカートリッジ５８は、カートリッジ挿入部５７、フランジ部分６５、取り外し可能な管状ライナ（例えば、例示的な取り外し可能な管状ライナ１５または１６）をカートリッジ挿入部５７の端部６３上にねじで仮止めできる、１つまたは複数の管状ライナ位置づけ用部材６１（図４のねじ孔６１として示される）、ならびに、例示的な取り外し可能な管状ライナ１５の端部１８に沿って位置する孔２６、および、カートリッジ挿入部５７の端部６３に沿って位置する孔６１の中を通って延在する、１つまたは複数のねじ６０を備える。所定の取り外し可能な管状ライナ（例えば、例示的な取り外し可能な管状ライナ１５または１６）は、カートリッジ挿入部５７の外側表面６８または内側表面５９に沿って取り外し可能に取り付けられもよい（すなわち、例示的な取り外し可能な管状ライナ１５の内側表面２４は、カートリッジ挿入部５７の外側表面６８を覆って接触してもよく、あるいは、代わりに、例示的な取り外し可能な管状ライナ１５の外側表面２５は、カートリッジ挿入部５７の内側表面５９を覆って接触してもよい）ことに留意すべきである。
【００６０】
[0068]例示的なカートリッジ５８は、例示的なドリフトチューブ１４を含む所定のドリフトチューブと一緒に使用されることに適切な大きさである。カートリッジ挿入部５７は、管状構造物１３の第１の端部１１の開口部４２の中で、ドリフトチューブ１４の中の管状構造物１３の内側壁表面２２に沿って、延長可能な大きさである。図４に示すように、カートリッジ挿入部５７は、噴霧器４０と管状構造物１３の間に位置してもよいので、噴霧器４０は、カートリッジ５８に取り外し可能に、ねじ（不図示）または他のいずれかの付属部材によって取り付けられていてもよい。カートリッジ組立部５１は、これに限定されるものではないが、例示的なカートリッジ５８のフランジ６５の中の孔４４に受容され、次に管状構造物１３の孔４５に受容されることに適切なねじ４３を含む任意の好適な付属部材によって、取り外し可能に管状構造物１３に取り付けられていてもよい。
【００６１】
[0069]例示的なカートリッジ５８の全体の長さは、これに限定されるものではないが、ドリフトチューブ１４の全体の長さ、オプションのカートリッジ収容部も使用されているか否か（図５Ａ〜図５Ｂに示す）、カートリッジ５８およびドリフトチューブ１４と一緒に使用される場合のカートリッジ収容部の全体の長さ、および試験されるべき試験サンプル組成物を含む多くの要因によって変化することに留意すべきである。ドリフトチューブ１４に直接接続される場合には、例示的なカートリッジ５８の最小長さは、一般には、約７．６２ｃｍ（３．００インチ）未満である。カートリッジ収容部が利用される場合には、例示的なカートリッジ５８の長さは、一般にはカートリッジ収容部の全体の長さ未満であり、一般には約６０．９６ｃｍ（２４．００インチ）未満である。
【００６２】
[0070]図４に示すように、さらに、例示的なカートリッジ５８は、例示的なカートリッジ５８をドリフトチューブ１４などの他のデバイス構成部品に接続することに適切なフランジ６５を備えてもよい。１つの例示的な実施形態では、フランジ６５は、例示的なカートリッジ５８を、ドリフトチューブ１４に接続するために使用される。別の例示的な実施形態では、フランジ６５は、例示的なカートリッジ５８を、カートリッジ収容部に接続するために使用される（図５Ａ〜図５Ｂに示すように）。
【００６３】
[0071]本発明の一実施形態では、フランジ６５は、例示的なカートリッジ５８と一体となった一部として形成される。該構造は図４〜図５Ｂに示す例示的なカートリッジ組立部５１で示される。他の実施形態では、フランジ６５はカートリッジ挿入部５７の一端の上に固定されるカートリッジ構成部品と分離されてもよい。構造にはかかわらず、フランジ６５は、フランジ６５を他のいずれかの装置構成部品に接続できる、１つまたは複数の構造上の特徴を備える。適切な構造上の特徴には、これに限定されるものではないが、フランジの表面から延在するボルト、フランジのねじ孔、管用ねじ、圧縮フィッティング、コネクタ等が挙げられる。
【００６４】
[0072]カートリッジ５８は、１つまたは複数の材料、望ましくは１つまたは複数の不活性材料を含んでもよい。カートリッジ５８を形成するための適切な材料には、これに限定されるものではないが、アルミニウム、ステンレス鋼およびチタニウムなどの金属、ポリエーテルエーテルケトン（ＰＥＥＫ）およびポリテトラフルオロエチレン（ＰＴＦＥ）などのポリマー材料、ホウケイ酸ガラスを含むガラス、ならびにセラミック材料が挙げられる。本発明の１つの例示的な実施形態では、カートリッジ５８は、アルミニウムおよびステンレス鋼から選択された金属を含む。所望の実施形態では、カートリッジ５８は、３１６Ｌステンレス鋼などのステンレス鋼から成る。
【００６５】
[0073]カートリッジ５８のカートリッジ挿入部５７の平均壁厚は、これに限定されるものではないが、所定のドリフトチューブ（例えば、例示的なドリフトチューブ１４）の内径およびカートリッジ挿入部５７の所望の構造的一体性等を含む多くの要因によって変化し、一般には、カートリッジ挿入部５７の平均壁厚は約０．１０ｍｍ（０．００４インチ）から約５０．８ｍｍ（２インチ）である。１つの例示的な実施形態では、カートリッジ挿入部５７は、ステンレス鋼から成り、平均壁厚は約２．５４ｍｍ（０．１０インチ）から約１０．１６ｍｍ（０．４０インチ）（より好ましくは、約６．３５ｍｍ（０．２５インチ））である。
【００６６】
４．カートリッジ収容部
[0074]さらに、所定のカートリッジ組立部は、噴霧器（例えば、例示的な噴霧器４０）とドリフトチューブ（例えば、例示的なドリフトチューブ１４）との間のコネクタとして機能するカートリッジ収容部を備える。図５Ａ〜図５Ｂは、例示的なカートリッジ収容部構成部品を含む例示的な構造を示す。
【００６７】
[0075]図５Ａに示すように、例示的な管状ライナ１５は、ねじ６０を介して例示的なカートリッジ５８に取り付けられ、カートリッジ収容部６６を介して例示的なドリフトチューブ１４の中に延在する（すなわち、例示的なドリフトチューブ１４は透明チューブとして示されるので、例示的な管状ライナ１５を視認できる）。この例示的な実施形態では、例示的な管状ライナ１５は、例示的なカートリッジ５８に取り付けられるので、例示的な管状ライナ１５の外側表面２５は例示的なカートリッジ５８の内側表面５９に接触する。
【００６８】
[0076]図５Ｂは、例示的なカートリッジ５８に取り付けられる、例示的な管状ライナ１５の断面図を示す、ここで、例示的なカートリッジ５８は、カートリッジ収容部６６の中に完全に挿入され、例示的な管状ライナ１５は、例示的なドリフトチューブ１４の中に完全に挿入される。図５Ｂに示すように、例示的な管状ライナ１５は、例示的なドリフトチューブ１４の全長、Ｌｄｔ、に沿って、カートリッジ収容部６６の中のポイント７４から光学ブロック５０の中のポイント７５まで延在する。この例示的な実施形態では、例示的な管状ライナ１５の長さ、ＬＬ、は、例示的なドリフトチューブ１４の長さ、Ｌｄｔ、よりも僅かに長い。
【００６９】
Ｃ．能動凝縮ドレイントラップ
[0077]本発明は、さらに能動凝縮ドレイントラップに関する。本明細書において、用語は「能動」または「能動的に」は、操作者の最小限の介入で、好ましくは、操作者の介入無しで凝縮物を捕捉し、処理する凝縮ドレイントラップを記述するために使用されることを意味する。開示された能動凝縮ドレイントラップは、捕捉凝縮物を処分するために、凝縮ポンプまたは蒸発促進材料を利用してもよい。さらに、本明細書において、「凝縮物」は光学ブロック５０から出る材料を参照するために使用される。
【００７０】
[0078]本発明の能動凝縮ドレイントラップは、検出器の検出器収容部などのデバイスの中に位置してもよい。一般には、本発明の能動凝縮ドレイントラップは、検出器の検出器収容部などのデバイスの中に位置するので、実験スペースを有効活用し、潜在的な安全上の問題を最小化する。それぞれの能動凝縮ドレイントラップは、凝縮ポンプまたはデバイス（例えば、検出器収容部）の中に位置する蒸発器を介して、能動的に排水するように動作可能に構成される。
【００７１】
[0079]図１に示すように、例示的な能動凝縮ドレイントラップ３０は、光学ブロック５０から下流に位置し、検出器収容部壁１０３に沿って位置する。排出開口部３１は、検出器収容部壁１０３の中を通って、例示的な能動凝縮ドレイントラップ３０から延在する。矢印Ｅによって示される開口部３１を介して、例示的な能動凝縮ドレイントラップ３０から排出される。能動凝縮ドレイントラップ３０の中で蓄積し、ドレイン開口部３５の中を通り、矢印Ｃに沿って、凝縮ポンプ３２の中を通り、矢印Ｄに沿って廃棄物処理容器またはライン（不図示）に向かう凝縮物（不図示）を、凝縮ポンプ３２は能動的に取り除く。
【００７２】
[0080]図６に示す代替的な実施形態では、例示的な検出器２００は、検出器収容部１０１および検出器収容部１０１の中に位置する次の構成部品：ドリフトチューブ組立部１０、空気ポンプ２０、噴霧器４０、光学ブロック５０、能動凝縮ドレイントラップ３００、ならびに蒸発促進材料３０１を備える。例示的な検出器２００では、光学ブロック５０を出た凝縮物は、能動凝縮ドレイントラップ３００の中で捕捉される。
【００７３】
[0081]例示的な検出器２００では、凝縮物（不図示）は能動凝縮ドレイントラップ３００に入り、能動凝縮ドレイントラップ３００の中に位置する蒸発促進材料３０１に集まる。適切な蒸発促進材料３０１は、単位体積当たりの表面積が比較的大きい材料であり、望ましくは、ウィッキング特性（例えば、凝縮物は、蒸発促進材料３０１に接触し、外側表面から蒸発促進材料３０１の空隙の中に移動する）を有するいずれかの不活性材料を含む。例示的な蒸発促進材料３０１には、これに限定されるものではないが、不織布、メッシュ生地、発泡材料、微小孔性材料などが挙げられる。一般には、多孔質セラミックス、焼結金属、多孔質ガラス、およびポリマー材料から形性される。１つの望ましい実施形態では、蒸発促進材料３０１には、ポリエチレン不織布材料が含まれる。
【００７４】
[0082]さらに、例示的な能動凝縮ドレイントラップ３００は、蒸発促進材料３０１を介してガス（例えば、空気）を流し、例示的な能動凝縮ドレイントラップ３００の中の凝縮物の蒸発を増やすことができるガス注入口３０３を備えてもよい。さらに、例示的な能動凝縮ドレイントラップ３００は、ガス（例えば、空気）を矢印Ｆに沿って、ガス注入口３０３の中から、蒸発促進材料３０１を通って、例示的な能動凝縮ドレイントラップ３００に押し込む、ガス流量エンハンサー３０４を備えてもよい。ガス流量エンハンサー３０４が、例示的な能動凝縮ドレイントラップ３００の中を通るガス流量を増やすように、動作可能に構成される限り、いずれのガス流量エンハンサー３０４が使用されてもよい。適切なガス流量エンハンサー３０４には、これに限定されるものではないが、ファンが挙げられる。図６には示さないが、空気ポンプ２０からの空気の流れは、ガス注入口３０３の中に入り、蒸発促進材料３０１を通って、例示的な能動凝縮ドレイントラップ３００の中に入る経路となる。
【００７５】
[0083]さらに、例示的な能動凝縮ドレイントラップ３００は、光学ブロック５０から下流に位置し、検出器収容部壁１０３に沿って位置することに留意すべきである。排出開口部３０２は、検出器収容部壁１０３を介して、例示的な能動凝縮ドレイントラップ３００から延在する。矢印Ｅによって示されるように、例示的な能動凝縮ドレイントラップ３００を介して開口部３０２から排出される。
【００７６】
[0084]本発明による代替的な実施形態では、能動ドレイントラップ３０は、図１に示すように、ドレイントラップ３０中の液体のレベルが特定のレベルに達すると、凝縮排水ポンプ３２を活性化させるレベルセンサ（不図示）を含んでもよい。
【００７７】
ＩＩ．構成部品の製造方法
[0085]さらに、本発明は、上述された本発明の構成部品の製造方法に関する。上述の構成部品のそれぞれは、従来技術を使用して用意されてもよい。例えば、ドリフトチューブ組立部の１つの例示的な製造方法において、該方法は、金属鋳造プロセス工程を使用して、不活性材料（例えば、ステンレス鋼）でドリフトを形成する工程と、オプションで管状部材を、１つまたは複数の外側層を用いて覆う工程を含んでもよい。外側層は管状部材の外側表面に、例えば、金属スパッタリング工程を使用してコーティングされてもよく、または、成形または鋳造工程を使用してあらかじめ形成されてもよく、その後に内側層の上に適合される。さらに、金属鋳造工程はカートリッジ５８を形成するために使用されてもよい。構成部品は、それぞれの取り外し可能な管状ライナなどのポリマー材料を含み、いずれかの従来の熱形性工程（例えば、射出成形、鋳造成形等）を使用して形成されてもよい。
【００７８】
[0086]本発明の１つまたは複数の上述のデバイスの製造方法は、１つまたは複数の本発明の上述の構成部品を、デバイス収容部などのデバイスに組み込むことを含んでもよい。例えば、デバイスの製造方法は、１つまたは複数の本発明の上述の構成部品を、少なくとも１つの被分析物を含む可能性がある試験サンプルを分析する方法などの、分析試験方法の工程を実施するように動作可能に構成されるデバイスに組み込むことを含んでもよい。
【００７９】
[0087]１つの例示的な実施形態では、本発明のデバイスの製造方法は、クロマトグラフィー用途で使用することに適した検出器を製造する方法を含み、ここで、該方法は、以下のものを組み込む。（１）検出器（例えば、例示的な検出器１００または２００）の検出器収容部（例えば、例示的な検出器収容部１０１）の中の空気ポンプ（例えば、例示的な空気ポンプ２０）であって、圧縮空気を検出器収容部の中に位置する噴霧器（例えば、例示的な噴霧器４０）に供給するように動作可能に構成される空気ポンプと、（２）検出器収容部（例えば、例示的な検出器収容部１０１）の中のドリフトチューブ組立部（例えば、例示的なドリフトチューブ組立部１０）であって、（ｉ）第１の端部、第２の端部、前記ドリフトチューブの内部に面する内側ドリフトチューブ表面、および外側表面を備えるドリフトチューブ（例えば、例示的なドリフトチューブ１４）と、（ｉｉ）少なくとも１つの取り外し可能な管状ライナ（例えば、例示的な取り外し可能な単独の管状ライナ１５、または他の取り外し可能な管状ライナとの組み合わせ）であって、それぞれの取り外し可能な管状ライナは第１のライナ端部、第２のライナ端部、取り外し可能な管状ライナの内部に面する内側ライナ表面、および外側ライナ表面を備え、それぞれの取り外し可能な管状ライナは、ドリフトチューブの中に位置することができるので、取り外し可能な管状ライナの外側ライナ表面は、内側ドリフトチューブ表面に沿って延在する少なくとも１つの取り外し可能な管状ライナと、を備えるドリフトチューブ組立部と、（３）検出器収容部（例えば、例示的な検出器収容部１０１）の中の能動凝縮ドレイントラップ（例えば、例示的な能動凝縮ドレイントラップ３０または３００）であって、該能動凝縮ドレイントラップは、凝縮ポンプ（例えば、例示的な凝縮ポンプ３２）または検出器収容部の中に位置する蒸発促進材料（例えば、例示的な蒸発促進材料３０１）を通して能動的に排水するように動作可能に構成される能動凝縮ドレイントラップと、または（４）（１）から（３）の組み合わせのいずれかを組み込む。
【００８０】
ＩＩＩ．構成部品の使用方法
[0088]本発明は、さらに１つまたは複数の本発明の上述のデバイスを使用する方法ばかりではなく、１つまたは複数の本発明の上述の構成部品を使用する方法に関する。１つまたは複数の本発明の上述の構成部品を使用する方法は、デバイスの中の１つまたは複数の上述の構成部品を使用することを含んでもよく、例えば、デバイスは、少なくとも１つの被分析物を含む可能性がある試験サンプルを分析する方法などの、分析試験方法の工程を実施するように動作可能に構成される。
【００８１】
[0089]１つの例示的な実施形態では、１つまたは複数の本発明の上述の構成部品を使用する方法は、蒸発光散乱検出器（ＥＬＳＤ）などの検出器の中の１つまたは複数の上述の構成部品を使用すること、およびフラッシュクロマトグラフィーシステムのＥＬＳＤを使用することを含む。
【００８２】
[0090]好ましい実施形態では、１つまたは複数の上述の構成部品は、ＥＬＳＤ装置などの分析用デバイスに使用され、試験サンプルを分析する。１つの例示的な実施形態では、該方法は、少なくとも１つの被分析物を含む可能性がある試験サンプルを分析する方法を含み、ここで、該方法は、試験サンプルをデバイスに投入する工程を含み、該工程は（１）検出器（例えば、例示的な検出器１００または２００）の検出器収容部（例えば、例示的な検出器収容部１０１）の中の空気ポンプ（例えば、例示的な空気ポンプ２０）であって、圧縮空気を検出器収容部の中に位置する噴霧器（例えば、例示的な噴霧器４０）に供給するように動作可能に構成される空気ポンプと、（２）検出器収容部（例えば、例示的な検出器収容部１０１）の中のドリフトチューブ組立部（例えば、例示的なドリフトチューブ組立部１０）であって、該ドリフトチューブ組立部は、（ｉ）第１の端部、第２の端部、前記ドリフトチューブの内部に面する内側ドリフトチューブ表面、および外側表面を備えるドリフトチューブ（例えば、例示的なドリフトチューブ１４）と、（ｉｉ）少なくとも１つの取り外し可能な管状ライナ（例えば、例示的な取り外し可能な管状ライナ１５単独または他の取り外し可能な管状ライナとの組み合わせ）であって、それぞれの取り外し可能な管状ライナは第１のライナ端部、第２のライナ端部、取り外し可能な管状ライナの内部に面する内側ライナ表面、および外側ライナ表面を備え、それぞれの取り外し可能な管状ライナは、ドリフトチューブの中に位置することができるので取り外し可能な管状ライナの外側ライナ表面は、内側ドリフトチューブ表面に沿って延在する少なくとも１つの取り外し可能な管状ライナを備えるドリフトチューブ組立部と、（３）検出器収容部（例えば、例示的な検出器収容部１０１）の中の能動凝縮ドレイントラップ（例えば、例示的な能動凝縮ドレイントラップ３０または３００）であって、該能動凝縮ドレイントラップは検出器収容部の中に位置する凝縮ポンプ（例えば、例示的な凝縮ポンプ３２）または蒸発促進材料（例えば、例示的な蒸発促進材料３０１）を通して能動的に排水するように動作可能に構成される能動凝縮ドレイントラップ、または（４）（１）から（３）の組み合わせのいずれかを含む。この例示的な方法では、方法に使用されるデバイスは、望ましくは蒸発光散乱検出器（ＥＬＳＤ）であり、ＥＬＳＤはフラッシュクロマトグラフィーシステムに使用される。
【００８３】
[0091]さらなる例示的な実施形態では、試験サンプルを分析する方法は、ドリフトチューブ組立部（例えば、例示的なドリフトチューブ組立部１０）を利用することを含み、該方法は、第２の取り外し可能な管状ライナ（例えば、例示的な取り外し可能な管状ライナ１６）を第１の取り外し可能な管状ライナ（例えば、例示的な取り外し可能な管状ライナ１５）の代わりに使用することを含み、ドリフトチューブ組立部（例えば、例示的なドリフトチューブ組立部１０）の内側通水断面を変更する。さらに、この例示的な方法は、（ｉ）第１の試験サンプルを噴霧して、移動相の第１のエアロゾル粒子を形成し、代替工程前に、第１のエアロゾル粒子が第１の取り外し可能な管状ライナの中を流れることを可能にする工程、（ｉｉ）第２の試験サンプルを噴霧して、移動相の第２のエアロゾル粒子を形成し、代替工程後に、第２のエアロゾル粒子が第２の取り外し可能な管状ライナの中を流れることを可能にする工程、または両方の工程（ｉ）および（ｉｉ）を含む。
【００８４】
[0092]さらに、試験サンプルを分析する上記の例示的な方法は、次のいずれかの工程：試験サンプルを噴霧して、移動相のエアロゾル粒子を形成する工程、試験サンプルを噴霧するために空気を利用し、移動相のエアロゾル粒子を形成する工程、オプションで試験サンプルをドリフトチューブの中に導く前に一部の粒子を選択的に除去する工程、ドリフトチューブの長さＬに沿って一部の移動相を蒸発させる工程、光線が散乱するように残留粒子に光線を向ける工程、散乱光を検出する工程、検出工程で得られるデータを分析する工程、光学ブロック（例えば、光学ブロック５０）を出る凝縮物を収集する工程、および能動凝縮ドレイントラップ（例えば、例示的な能動凝縮ドレイントラップ３０または３００）にトラップされた凝縮物を能動的に排出する工程を含む。
【実施例】
【００８５】
[0093]さらに、本発明は、いずれの場合にも本発明の範囲を制限するという意味に解釈されない、次の実施例によって説明される。それどころか、本願の明細書を読んだ当業者であれば、本発明の精神および／または添付の特許請求の範囲から逸脱することなく、さまざまな他の実施形態、修正形態、およびそれらの均等物を、容易に想到することができることが明確に理解されるべきである。
【００８６】
（実施例１）
[0094]ＥＬＳＤ、空気ポンプ、能動ドレイントラップおよび取り外し可能なドリフトチューブライナを備えたリベラリス（Ｒｅｖｅｌｅｒｉｓ）（商標）フラッシュクロマトグラフィーシステムが以下のように構成される。
（ａ）ドリフトチューブ温度３０℃
（ｂ）噴霧気流（内部の空気ポンプによって供給される）３Ｌ／分
（ｃ）イソプロピル・アルコールの２５０μＬ／分のＥＬＳＤ搬送流
（ｄ）能動凝縮ドレイントラップ
（ｅ）凝縮物を搬送して排出するためのポンプ
１００ｍｇ／ｍＬブチルパラベンの２ｍＬ試料を、２５ｍＬ／分の８０／２０ヘキサン／酢酸エチル移動相を使用する、１２ｇのＲｅｖｅｌｅｒｉｓ（商標）シリカカートリッジの上に５０回注入した。分析中は、空気ポンプが外部ガス源を使用せずに噴霧器ガスを供給した。能動凝縮トラップは、ＥＬＳＤ光学ブロックを出た後に凝縮する、イソプロピル・アルコールと試料材料を効率よくトラップした。凝縮ポンプによって、トラップから計器の外側の廃棄容器へ、凝縮物が搬送された。分析が５０回実施された後に、ＥＬＳＤドリフトチューブライナが除去され、ワイヤーブラシを使用して、積み重なった試料残留物がドリフトチューブの外に取り除かれた。ドリフトチューブライナは再び取り付けられた。
【００８７】
[0095]本発明は限られた数の実施形態について記載されてきたが、これらの特定の実施形態は、本明細書の記載および特許請求の範囲を除き、本発明の範囲を制限することを意図していない。本明細書の例示的な実施形態を参照すれば、さらなる修正形態、均等形態、および変形形態が可能であることは、当業者にとっては明白である。明細書の残りの部分だけではなく、実施例のすべての部分および百分率は、他に記載がない限り重量による。さらに、特定の一連の特性、測定単位、条件、物理的状態または百分率などを示す、明細書または特許請求の範囲で引用されるすべての数値範囲は、参照により文字通り明示的に明細書に取り入れられ、または、そこで引用される全範囲のサブセット数値を含む、該範囲に入るすべての数値が取り入れられることが意図される。例えば、下限ＲＬ、および上限Ｒｕを含む数値範囲が開示される場合には常に、該範囲に含まれるすべての数値Ｒが明確に開示される。特に、次の範囲に含まれる数値Ｒ（Ｒ＝ＲＬ＋ｋ（Ｒｕ−ＲＬ））は明確に開示される。ここでｋは、増分が１％である１％から１００％までの可変範囲であり、例えば、ｋは１％、２％、３％、４％、５％．．．．５０％、５１％、５２％．．．．９５％、９６％、９７％、９８％、９９％、または１００％である。さらに、２つのＲ値で示されるすべての数値範囲も、上記で演算されるように、明確に開示される。本明細書に記載されて示された修正形態に加え、本発明の如何なる修正形態も、前述の記述および添付図面から当業者には明らかである。このような修正形態は、添付の特許請求の範囲に含まれることが意図される。本明細書に引用されるすべての刊行物は、参照によりその全体が組み込まれる。
【図１】
2012511722.tif 000003
【図２Ａ】
2012511722.tif 000004
【図２Ｂ】
2012511722.tif 000005
【図３Ａ】
2012511722.tif 000006
【図３Ｂ】
2012511722.tif 000007
【図４】
2012511722.tif 000008
【図５Ａ】
2012511722.tif 000009
【図５Ｂ】
2012511722.tif 000010
【図６】
2012511722.tif 000011
【国際調査報告】
2012511722.tif 000012